(57)【要約】【課題】    パソコンキーボードには様々な状態の手で作業をおこなってるものであるから、大腸菌や多種多様の細菌が付着しているもので、パソコンをあつかう人にとって健康を損なうもので、これらを解決する装置を提供する。【解決手段】  パソコン作業を終了した状態において、キーボード全体を覆うケースを被せて、前記ケース内に殺菌灯を設ける。前記殺菌灯の殺菌線を一定時間照射することでキーボード上の大腸菌や細菌を除去し清潔にするものである。【選択図】図１
2010220984.tif 000002
【特許請求の範囲】
【請求項１】
キーボードを覆う箱状体のカバーを形成して、前期箱状体の内部に殺菌灯装置を設ける。殺菌灯の殺菌線は前記カバー内のキーボードに照射し、前記カバーは前記殺菌灯の殺菌線照射が外部に漏れない材質で設けたことを特徴とするキーボード殺菌装置。
【請求項２】
前記カバーの側面の一端に前記殺菌灯の殺菌線照射が漏れない通風孔に換気扇装置を備えるとともに前記殺菌灯の切タイマーを設けたことを特徴とする請求項１記載のキーボード殺菌装置。
【発明の詳細な説明】
【０００１】  本発明は、パソコンの休止状態のときキーボードの殺菌をする装置に関する。
【背景技術】
【０００２】  近年、様々な用途に使われているパソコンであるが、パソコンのキーボード打ち作業の手が様々な物を触れること、またキーボードに他人も触れる状況においては、作業の手に大腸菌、腸チフス菌、ブドウ球菌、あるいは他の細菌が付着する。この手で飲食することも多いことが連日行われていることは極めて不健康な状態である。【０００３】  そこで、これらのことを解決するものに、時折消毒液を利用してキーボードを細やかに時間をかけて清掃することがある。【０００４】  また、短形の軟質フイルムからなる四辺形カバーを強化辺に設けられ、さらに強化辺を帯状にして、下面を両面テープで設けられた装置が提供されている。（例えば特許文献１）【０００５】
【特許文献１】  登録実用新案第３１０００７５号広報
【発明の開示】
【発明が解決しようとする課題】
【０００６】  しかしながら、上記のようなシステムでは下記のような問題がある。
特許文献１において、キーボード内に塵埃などの侵入やさ細菌、ウイルスの付着を防止することであり、キーボードの作業においてはカバー前面よりの作業であり作業者の衛生面上に対しては効果が無く、あくまでもキーボードの使用寿命を目的としたものである。【０００７】    そこで本発明は、上記の課題に鑑みパソコンキーボードの作業の休止状態において、キーボードの部分に一定時間殺菌灯を照射して大腸菌や様々な細菌の殺菌効果をうる装置を提供するものである。
【課題を解決するための手段】
【０００８】  上記目的を達成するために、パソコンのキーボードを覆う箱状体のカバーを形成して、前期箱状体の内部に殺菌灯装置を設ける。殺菌灯の殺菌線は前記カバー内のキーボードに照射し、前記カバーは前記殺菌灯の殺菌線照射が外部に漏れない材質で設けることで、一定時間後にキーボード上の細菌を死滅することを特徴とする。【０００９】また、前記カバーの側面の一端に前記殺菌灯の殺菌線照射が漏れない通風孔に換気扇装置を備えるとともに前記殺菌灯の切タイマーを設けることで、パソコンに熱を得ることないようにしたことを特徴とする。
【発明の効果】
【００１０】  本発明は、以上説明したように構成されているので、以下に記載されているような効果を奏する。【００１１】  本発明をパソコンのキーボード全体を覆うようにして、殺菌灯を短時間の照射によって大腸菌、腸チフス菌、赤痢菌、ブドウ球菌、枯草菌、あるいは結核菌等の殺菌力効果がある。したがって多くのパソコンを使う職場において、キーボード殺菌装置１台で順番に利用することで、日常のパソコン作業を快適、そして作業者の健康を保つことができるものである。【００１２】また、通風孔換気扇装置、及び切タイマーを設けることでパソコンのトラブルを発生させない効果を得るものである。さらに、換気作用により湿度も下がることから殺菌力の効果も上がるものである。
【発明を実施するための最良の形態】
【００１３】  本発明の実施の形態について図面を参照して説明する。【００１４】  図１、図２、図３は本発明に係る第１実施例の図である。図１は本発明のキーボード殺菌装置をパソコンのキーボードに被せて装着しようとする状態の斜視図である。第２図は第１図のキーボード殺菌装置におけるＡ−Ａ′の断面図である。第３図は第１図のキーボード殺菌装置の回路構成図である。【００１５】  第一実施例における、図中の１は本発明のキーボード殺菌装置である。キーボード殺菌装置１の外形の材質は殺菌線である光が透過しない材質であること、２はＰＣディスプレー、３はＰＣキーボードである。４はパソコン（ＰＣ）に熱の蓄積を避けるための通風孔で、両側に設ける。回路構成として第３図を参照しながら、１３は商用交流電源の電源プラグ、５は回路全体の主電源スイッチである。６は主電源スイッチ５のオン、オフを示す電源の通電表示灯、７はＰＣキーボード３の細菌を死滅させる細菌灯である。８は安定器、１１はグローランプ、１２はコンデンサーである。
第２図の９はキーボード殺菌灯装置１をＰＣキーボード３に覆うように設置するとき、ＰＣディスプレー２とＰＣキーボード３の連結部分に対して容易に設置できるように設けた自在保護カバーである。１７は取である。【００１６】  したがって、上記の構成によりキーボード殺菌装置１をパソコンのキーボード３全体に覆い被せるように設置する。商用交流電源に電源プラグ１３接続する。主電源スイッチ５をオンにして通電表示灯６が点灯すると同時に、殺菌灯７が点灯し殺菌線がＰＣキーボード３に放射をする。一定時間ＰＣキーボード３に殺菌線放射することで、ＰＣキーボード３上に様々な条件のもと付着した細菌である大腸菌、腸チフス菌、赤痢菌、ブドウ球菌、枯草菌、さらに結核菌（鳥型）等の菌種を殺菌する効果を得ることができるものである。
また、通電表示灯６が点灯していることは、殺菌灯７が点灯し、細菌線を照射していることを示すもので、人体（目）に危険であるから、キーボード殺菌装置１を外すとき主電源スイッチ５をオフにすることを促すものである。【００１７】  また、図４、図５は第二実施例を示すもので、図４は図３の回路に換気扇用のモーターとタイマー装置、及び保護スイッチを備えた回路構成図出る。
図５は回路構成をキーボード殺菌装置１の箱状対の内側に組立てた構成を下から見た図の底面図である。【００１８】  図中の１４は保護スイッチで、殺菌灯７の殺菌線照射中にキーボード殺菌装置１を持上げて外すと保護スイッチ１４が即座に通電をオフにするスイッチである。
１５は通電時間を設定することができることで、一定時間後オフにできるタイマーである。１６はキーボード殺菌装置１が動作中においてファンを回転することで箱状体内の熱を強制的に排出するためのファンモーターである。
なお、これらの実施の形態の説明に当って、前記本発明の第一の実施形態と同一構成部分の同一符号が重複する説明を省略する。【００１９】  したがって、第二実施例は上記の構成により、キーボード殺菌装置１をＰＣキーボード３に前記記載と同様に装着することで保護スイッチ１４はスタンバイ状態となる。主電源スイッチ５をオンにすることで、ファンモーター１６が駆動して強制的に換気作用をおこないキーボード殺菌装置１内の環境を良くする。ここでタイマー１５によって設定時間を設定することで、通電表示灯６が点灯して殺菌灯７が点灯、殺菌線照射を設定時間おこなうものである。
また、通電表示灯６が点灯して殺菌作用をおこなっているときにおいて、キーボード殺菌装置１を取外すことがあっても保護スイッチ１４がオフとなり、人体（目）に悪い影響を与えないようにするものである。
【図面の簡単な説明】
【００２０】
【図１】  本発明の第一実施例を示す図で、ＰＣキーボード３に本発明のキーボード殺菌装置１を被せて装着しようとする状態の斜視図である。
【図２】  図１のキーボード殺気装置１におけるＡ−Ａ′の断面図である。
【図３】  第一実施例のキーボード殺菌装置の回路構成図である。
【図４】  第二実施例のキーボード殺菌装置の回路構成図である。
【図５】  第二実施例の回路を組込んだ状態のキーボード殺菌装置１の下より見た底面図である。
【符号の説明】
【００２１】  １はキーボード殺菌装置                    ２はＰＣディスプレー
３はＰＣキーボード                        ４は通風孔
５は主電源スイッチ                        ６は通電表示灯
７は殺菌灯                                ８は安定器
９は自在保護カバー                        １１はグローランプ
１２はコンデンサー                        １３は電源プラグ
１４は保護スイッチ                        １５はタイマー
１６はファンモーター
【図１】
2010220984.tif 000003
【図２】
2010220984.tif 000004
【図３】
2010220984.tif 000005
【図４】
2010220984.tif 000006
【図５】
2010220984.tif 000007